(57)【要約】  【課題】    剃刀の刃先を簡単な構造の砥石で研ぐことにより、使い捨てタイプの剃刀の寿命を大幅に延ばすことができる砥石具を備えた安全剃刀を提供する。  【解決手段】    剃刀ヘッドにある替刃カートリッジ（１）にカートリッジカバー（２）を取り付け、カートリッジ表側に設けられた矩形の窓部（３）から砥石（４）を挿入し、剃刀の刃先（６）に対し砥石（４）を垂直に当て、窓部（３）をガイド溝として一定の圧力を加えながら横方向に動かすことによって、刃先（６）を研ぐことができることを特徴とする砥石具を備えた安全剃刀【選択図】     図１
2005137772.tif 000002
【特許請求の範囲】
【請求項１】
使い捨て安全剃刀の替刃カ−トリッジのカバ−部の表側に矩形の窓部が設けられ、この窓部から、直方体の形をした砥石を挿入し、剃刀の刃先に対し垂直または斜めに砥石を当てながら、窓部をガイド溝にして横方向に動かすことにより、剃刀の刃先を研ぐことができることを特徴とする剃刀用砥石具及び安全剃刀。
【請求項２】
前記安全剃刀において、砥石が替刃カ−トリッジカバ−部に設けられた収納スペースに収納できるような構造になっていることを特徴とする請求項１の剃刀用砥石具及び安全剃刀。
【発明の詳細な説明】
【技術分野】
【０００１】
本発明は、剃刀用砥石具を備えた安全剃刀に関するものである。
【背景技術】
【０００２】
従来、家庭で使用する使い捨て型の安全剃刀は数回使用しただけで、切れ味が悪くなる。このため、使い捨てられる替刃カートリッジの数は、１年間を通して相当な数量になる。資源節約、環境保全の上で、こうした消費型製品は改善が必要で、再使用ができるようにリサイクル型製品にしていくことが求められている。
【発明の開示】
【発明が解決しようとする課題】
【０００３】
このために次のような点が課題としてあった。
（イ）切れ味の悪くなった剃刀の刃先を簡単に研ぐ用具の開発が望まれている。
（ロ）砥石を刃先に当てるとき、刃先を痛めることなく、正確に研ぐことが求められる。
（ハ）剃刀に対し砥石具は付属品であるから、砥石具のコストは安価であることが必要        である。
【課題を解決するための手段】
【０００４】
上記目的を達成するために、本発明の請求項１に記載の発明の手段は、替刃カートリッジ（１）を覆うカートリッジカバー（２）（材質は樹脂）に、ちょうど剃刀の刃先（６）の上部に位置する場所には、縦×横が２枚刃又は３枚刃の刃先を見通せる大きさの矩形の窓部（３）が設けられ、この窓部（３）から、矩形の形をした砥石（４）を挿入し、刃先（６）に対し砥石（４）の先を垂直または斜めに当て、窓部（３）をガイド溝として横方向に動かすことによって、剃刀の刃先（６）を簡単に研ぐことができることを特徴とする剃刀用砥石具及び安全剃刀である。
【０００５】
本発明の請求項２に記載の発明の手段は、前記剃刀用砥石具及び安全剃刀において、砥石（４）が替刃カートリッジカバー（１）の設けられた収納スペース（８）に収めることができるように工夫したことを特徴とする請求項１の剃刀用砥石具及び安全剃刀である。
【発明の効果】
【０００６】
本発明を使用することによって、以下に示すような効果が生まれる。
（イ）本発明の剃刀用砥石具及び安全剃刀を使用すれば、使い捨ての替刃カートリッジ（１）の刃先（６）を正確に研ぐことができ、これまでのように使用後、カートリッジすぐに捨てることがなくなり、剃刀の寿命が飛躍的に伸びる。
（ロ）また、本発明の剃刀用保持具（５）は、５〜６本セットで売られている剃刀セット袋に１個備えてあれば、十分砥石の役割を果たすことができる。この結果、消費者は剃刀用砥石具（５）がついている剃刀を購入するようになり、売上向上が期待できる。
【発明を実施するための最良の形態】
【０００７】
以下、本発明の実施の形態について説明する。
図１は、本発明の請求項１の剃刀用砥石具の使用状態を表す斜視図である。（１）は替刃カートリッジ、（２）は樹脂製のカートリッジカバー、（３）はカバーに設けられた砥石ガイド溝に相当する窓部、（４）は直方体の形状で両端面にテーパーがついた形の砥石、（６）は剃刀の刃先である。なお本提案で述べる剃刀用砥石具（５）とはカートリッジカバー（２）と砥石（４）を総称して呼ぶものである。
図２は、本発明の請求項１のカートリッジカバー（２）を裏側から見た斜視図である。カートリッジ（１）は、この裏側からはめこまれ、はめ込み用爪部（１４）で固定される。
反対に、カートリッジ（１）をカバーからはずすときは、剃刀の取手部（７）を取手方向に強く引けば、自然にはめ込み用爪受け凹部（１３）から爪部（１４）がはずれ、簡単にカートリッジ（１）がはずれる仕組みである。
図３（ａ）は、本発明の請求項１の砥石（４）が刃先を研磨している状態を表す図で、刃先（６）に対して垂直方向に切ったときのカートリッジ（１）及びカートリッジカバー（２）の断面図である。図３（ｂ）は、同じく砥石（４）が刃先（６）を研磨している状態を表す図で、刃先（６）に対し平行に切ったときのカートリッジ（１）の断面図である。砥石（４）の形状は矩形をしており、横幅に対し、縦幅は短い。また、砥石（４）の先端はテーパー（１２）がつけられ、剃刀の刃先（６）に対し、研磨力を高めている。このテーパ−は砥石（４）の両端部につけられており、使用状態に応じてどちらでも使用できるようになっている。
図４（ａ）は、カートリッジカバー（２）を替刃カートリッジ（１）にはめるときの様子を表側から見た斜視図である。（１３）は、爪受け凹部で、カートリッジカバー（２）のはめ込み用爪部（１４）を受ける溝である。
図４（ｂ）はカートリッジカバー（２）が替刃カートリッジ（１）に取り付けられた状態を表側から見た斜視図である。このとき、空き窓（３）はちょうど剃刀の刃先（６）の真上に位置するようになっている。砥石（４）は、この窓部（３）から侵入して刃先（６）を研磨することになる。
【０００８】
請求項１の発明は、以上のような構成で、これを使用するときは、図４（ａ）（ｂ）に示すように、切れ味の衰えたカートリッジ（１）にカートリッジカバー（２）を取り付ける。次に、図１のように砥石（４）を窓部（３）から挿入し、刃先（６）に対し砥石（４）がほぼ垂直になるように当てる。次に、図３（ａ）または図３（ｂ）のように、窓部（３）をガイドにして横方向に砥石を軽く指で一定の圧力を加えながら動かすことにより刃先を研ぐ。
このとき、砥石（４）を刃先（６）に強く押さえつけると、剃刀の刃先（６）を痛めることになるのでその加減には注意を要する。
【０００９】
図５は、本発明の請求項２の剃刀用砥石具の使用状態を表す斜視図である。（１）は替刃カートリッジ、（２）は砥石（４）を収納するスペース（８）が設けられたカートリッジカバー、（３）はカバーに設けられた砥石ガイド溝に相当する窓部、（４）は砥石、（６）は剃刀の刃先である。
図６は、本発明の請求項２のカートリッジカバー（２）を裏側から見た斜視図である。カートリッジ（１）は、この裏側からはめこまれ、保持板（９）でカートリッジが支えられ、はめ込み用爪部（１４）でによって内側に固定される。
図７（ａ）は、本発明の請求項２のカートリッジカバー（２）に砥石（４）が収納される様子を示す斜視図である。図７（ｂ）は、砥石（４）がカートリッジカバー部（２）に収納された状態を表す斜視図である。砥石（４）を取り出すときは、スライド蓋を開ければ、簡単に取り出すことができる。
【００１０】
請求項２の発明は、以上のような構成で、これを使用するときは、切れ味の衰えたカートリッジ（１）をカートリッジカバー（２）に取り付ける。次に、図５に示すように砥石（４）を窓部（３）から入れ、刃先（６）に垂直になるように当てる。次に、窓部（３）をガイドにして横方向に砥石を軽く指で一定の圧力を加えながら動かすことにより刃先を研ぐ。
このとき、請求項１の場合と同様、砥石（４）を刃先（６）に強く押さえつけると、剃刀の刃先（６）を痛めることになるのでその加減には注意を要する。
【実施例１】
【００１１】
図８（ａ）（ｂ）は、他の実施例１を示す斜視図で、剃刀の型が、請求項１または２の発明で示した剃刀の型とは異なり、安価な普及型のＴ型安全剃刀で、そのカートリッジカバー（２）である。材質は樹脂製。カートリッジカバ−（２）の形状は、三角柱に似た形になっており、刃先（６）に位置する場所に砥石（４）を挿入する窓部（３）が設けられている。
図８（ａ）はカートリッジカバー（２）を取り付ける前、図８（ｂ）は取り付け後の斜視図である。カートリッジカバー（２）をカートリッジ（１）に押し込むだけで、固定されるしくみである。図９は、実施例１において、カートリッジカバー（２）を取り付けた後、砥石（４）により、刃先（６）を研磨している状態を表す。
図１０は、実施例１の安全剃刀の刃先（６）に砥石（４）を垂直に当て、研磨している状態を表すカートリッジ断面図である。図１１は、実施例１におけるカートリッジカバー（２）の裏側から見た斜視図である。（３）は案内溝に相当する窓部（３）。（１４）は、カートリッジ（１）を固定するはめ込み用爪部。（９）は、カートリッジを保持する保持板。
【図面の簡単な説明】
【００１２】
【図１】請求項１の本発明の使用状態を表す斜視図。
【図２】カートリッジカバー部を裏側から見た斜視図。
【図３】（ａ） 刃先（６）を研磨している様子を示すカートリッジ断面図。           （ｂ） 同  カートリッジ断面図。
【図４】（ａ）カートリッジカバー（２）をカートリッジ（１）にはめこむ様子を表す斜視図。       （ｂ）カートリッジカバー（２）がカートリッジ（１）にはめこまれた状態を表す斜視図。
【図５】請求項２の本発明の使用状態を表す斜視図。
【図６】請求項２の本発明のカートリッジカバーの裏側から見た斜視図。
【図７】（ａ）請求項２の本発明の砥石（４）をカートリッジカバー（２）に収納する様子を表す斜視図。          （ｂ）請求項２の本発明の砥石（４）をカートリッジカバー（２）に収納した状態を表す斜視図。
【図８】（ａ）実施例１のカートリッジカバ−取り付け前の斜視図。（ｂ）実施例１のカートリッジカバー取り付け後の斜視図。
【図９】刃先を研磨している実施例１の状態を表す斜視図。
【図１０】刃先を研磨している実施例１の状態を表す断面図。
【図１１】実施例１のカートリッジカバーの裏側から見た図。
【符号の説明】
【００１３】
１  替刃カートリッジ
２  カートリッジカバー
３  窓部
４  砥石部
５  剃刀用砥石具
６  刃先
７  取手部
８  収納スペース 
９  保持板
１０  スライド蓋
１１  スライド蓋案内溝
１２  刃先先端部テーパー
１３  はめ込み用爪受け凹部
１４  はめ込み用爪部
１５  スライド蓋取手部
【図１】
2005137772.tif 000003
【図２】
2005137772.tif 000004
【図３】
2005137772.tif 000005
【図４】
2005137772.tif 000006
【図５】
2005137772.tif 000007
【図６】
2005137772.tif 000008
【図７】
2005137772.tif 000009
【図８】
2005137772.tif 000010
【図９】
2005137772.tif 000011
【図１０】
2005137772.tif 000012
【図１１】
2005137772.tif 000013